(57)【特許請求の範囲】
【請求項１】
キッチンキャビネットの天面部に設置される電気加熱器の後方及び後部上方を覆うように前記キッチンキャビネット上に立設され、前記電気加熱器で加熱された被調理物から発生する汚染空気を捕集し、捕集した汚染空気を吸い込む開口が前面に形成されたフードと、
前記キッチンキャビネットの天面部であって前記フードよりも後方に、左右両側に分離して設けられた吹出口と、
前記キッチンキャビネット内に設けられ、前記フードの開口から吸い込まれた汚染空気を前記吹出口へ導く風路と、
前記フードの後面に設けられて、前記キッチンキャビネットの天面部を貫通し、前記フードの開口と前記風路とを連通させる吸込ダクトと、を備え、
前記風路は、前記フードの開口から吸い込まれた汚染空気を左右に分岐させる吸込風路と、前記吸込風路で分岐された空気を前記分離して設けられた吹出口に向けて導く吹出風路と、を有し、
前記風路には、前記開口から吸い込まれた汚染空気を浄化する油煙除去装置と、前記開口から前記吹出口に向かう気流を発生させる送風機と、が設けられ、
前記吹出口は、平面視において前記吸込ダクトの左右に直線状に並べて配置されていることを特徴とする加熱調理台。
【請求項２】
前記フードは、前記電気加熱器の後部上方を覆う部分が、円弧状に折り曲げられて前方に傾斜して形成されていることを特徴とする請求項１に記載の加熱調理台。
【請求項３】
前記フードの左右の端部に、前記フードの上端と下端とを結ぶ略三角形状の側板を設けたことを特徴とする請求項１または２に記載の加熱調理台。
【請求項４】
前記開口の前方にフィルターを設置したことを特徴とする請求項１〜３のいずれか一つに記載の加熱調理台。
【請求項５】
前記送風機は、前記吹出風路にそれぞれ設置されていることを特徴とする請求項１〜４のいずれか一つに記載の加熱調理台。
【請求項６】
前記吹出口に、脱臭器を着脱可能に設置したことを特徴とする請求項１〜５のいずれか一つに記載の加熱調理台。
【請求項７】
前記フードの上端部の後面に、前記空気処理装置を操作する操作スイッチを設置したことを特徴とする請求項１〜６のいずれか一つに記載の加熱調理台。
【請求項８】
前記フードは、中空構造に形成され、前記操作スイッチと前記空気処理装置とを接続する配線が中空部に収められていることを特徴とする請求項７に記載の加熱調理台。
【請求項９】
キッチンキャビネットの天面部に設置される電気加熱器の後方及び後部上方を覆うように前記キッチンキャビネット上に立設され、前記電気加熱器で加熱された被調理物から発生する汚染空気を捕集し、捕集した汚染空気を吸い込む開口が前面に形成されたフードと、
前記キッチンキャビネットの天面部であって前記フードよりも後方に、左右両側に分離して設けられた吹出口と、
前記キッチンキャビネット内に設けられ、前記フードの開口から吸い込まれた汚染空気を前記吹出口へ導く風路と、を備え、
前記風路は、前記フードの開口から吸い込まれた汚染空気を左右に分岐させる吸込風路と、前記吸込風路で分岐された空気を前記分離して設けられた吹出口に向けて導く吹出風路と、を有し、
前記風路には、前記開口から吸い込まれた汚染空気を浄化する油煙除去装置が、前記吹出風路には前記開口から前記吹出口に向かう気流を発生させる送風機が、それぞれ設けられていることを特徴とする加熱調理台。
【発明の詳細な説明】
【技術分野】
【０００１】
本発明は、二酸化炭素などの有害物質を発生しない電気加熱器での調理に伴う汚染空気を吸込んで浄化処理し、浄化された空気を室内へ排出する空気処理装置を備えた加熱調理台に関するものである。
【背景技術】
【０００２】
従来の室内循環換気式キッチンとして、電気加熱器上方の天井に設置された空気清浄レンジフードで調理に伴う汚染空気を吸込み、汚染空気を空気清浄レンジフード内で浄化処理し、浄化された空気を室内に排出するようにしたものがある（例えば、特許文献１参照）。
【０００３】
【特許文献１】特開平０９−１９６４２３号公報
【発明の開示】
【発明が解決しようとする課題】
【０００４】
しかしながら、上記従来の技術によれば、電気加熱器による加熱調理が、ガス燃焼加熱器による加熱調理と比較し、廃熱量が少なく発生する汚染空気の上昇気流速度が遅いため、調理作業（鍋をかき混ぜる、フライパンを振る等）等により上昇気流が乱れ易く、汚染空気が室内に拡散して空気清浄レンジフードに吸込まれ難いという問題があった。
【０００５】
また、冬場の朝など、室温が低い雰囲気で廃熱量の少ない電気加熱器を使って加熱調理を行うと、暖かい汚染空気に含まれる水蒸気が、室温と同程度の低温のフィルター等の表面に触れて冷却されるため、結露が発生し易いという問題があった。
【０００６】
電気加熱器から天井に設置された空気清浄レンジフードまでの距離が離れているため、汚染空気が到達する前に拡散してしまったリ、調理面の周囲に壁面が全くなく開放された空間となっているため調理作業によって乱れた気流に乗って汚染空気が拡散してしまうため、汚染空気を効率良く空気清浄レンジフードで吸込むことが難しいという問題があった。
【０００７】
空気清浄レンジフードの吸込風量を増大させたり、空気清浄レンジフードを大型化すれば、汚染空気を逃がさずに吸込むことは可能であるが、消費電力が増え機器も大型化するなど不経済となる。また、空気清浄レンジフードが、高い天井に配置されているため手が届き難く、設置工事が困難で清掃作業性が悪いという問題があった。
【０００８】
また、汚染空気の吸込口と清浄空気の吹出口とが同一開口面（本体下面）内にあるため、吹出された清浄空気と上昇してきた汚染空気とが衝突し気流を乱し、汚染空気が吸込まれ難いという問題があった。また、吹出された清浄空気が調理者へ直接吹き付けるので不快感を感じる等の問題があった。
【０００９】
また、吸込口が電気加熱器の上方に位置しているため、吸込口やフィルター等で発生した結露水やフード内部に付着した油等が調理面に滴下するという問題があった。発生した結露水やフード内部に付着した油等を調理面に滴下する前に拭き取るときにも、フードが天井に位置していて手が届き難く清掃作業性が悪いという問題があった。
【００１０】
空気清浄レンジフードが天井に設置されているため、操作スイッチの位置が高く操作し難いという問題があった。操作スイッチの操作性を考慮し、料理台やキッチンの壁面に操作スイッチを取り付ける場合、穴加工や配線作業等の設置工事が必要となるという問題があった。また、脱臭器が備えられておらず、調理臭気が室内に充満し不快感を感ずるという問題があった。
【００１１】
本発明は、上記に鑑みてなされたものであって、調理作業等による気流の乱れの影響を受け難く、調理に伴う汚染空気を効率良く吸込むことができ、使い勝手や清掃作業性の良い加熱調理台を得ることを目的とする。
【課題を解決するための手段】
【００１２】
上述した課題を解決し、目的を達成するために、本発明は、天面部に電気加熱器が設置され、室内の床に設置されるキッチンキャビネットと、前記電気加熱器の後方及び後部上方を覆うように前記キッチンキャビネット上に立設され、前記電気加熱器で加熱された被調理物から発生する汚染空気を捕集するフードと、前記キッチンキャビネットに内蔵され、前記フードで捕集された汚染空気を吸込口から吸込み、浄化して吹出口から室内に排出する空気処理装置と、を備えることを特徴とする。
【発明の効果】
【００１３】
この発明によれば、フードをキッチンキャビネット上に立設し、空気処理装置をキッチンキャビネットに内蔵したので、調理作業等による気流の乱れの影響を受け難くし、調理に伴う汚染空気を室内へ逃がさないように効率良く吸込み、浄化して室内に排出する加熱調理台が得られるという効果を奏する。
【発明を実施するための最良の形態】
【００１４】
以下に、本発明にかかる加熱調理台の実施の形態を図面に基づいて詳細に説明する。なお、この実施の形態によりこの発明が限定されるものではない。
【００１５】
実施の形態
図１は、本発明にかかる加熱調理台の実施の形態を示す側面断面図であり、図２は、同正面断面図であり、図３は、同上面図であり、図４は、同上面断面図であり、図５は、図１のＡ−Ａ線に沿うフードの部分断面図である。
【００１６】
図１〜図５に示すように、略直方体のキッチンキャビネット１は、室内の床１ａに設置され、キッチンキャビネット１の天面部の天板１ｂには、加熱調理を行うためのクッキングヒーター、電磁加熱器等の電気加熱器２が設置されている。
【００１７】
電気加熱器２の後方（反調理者側）のキッチンキャビネット１には、薄形角筒状の吸込ダクト４が設置され、吸込ダクト４の上部前面には、加熱調理に伴う油煙や水蒸気等の汚染空気を吸込むための矩形の吸込口３が形成されている。吸込ダクト４の下部は、キッチンキャビネット１内へ延び、キッチンキャビネット１内の電気加熱器２の下方に内蔵された後述の空気処理装置１４の吸込風路１４ｃに接続され、吸込口３は吸込風路１４ｃに連通している。
【００１８】
キッチンキャビネット１の天面部の天板１ｂの後部には、吸込ダクト４の前面に後面が当接するように矩形板状のフード５が立設され、フード５の上部は、円弧状に折り曲げられて前方に傾斜し、電気加熱器２の後方及び後部の略１／３の面積を上方から覆うように形成されている。フード５は、金属等の不燃材料で形成され、下部中央には、吸込ダクト４の吸込口３に連通する矩形の開口５ｃが設けられている。フード５の前方に傾斜した上端部１８の後面には、後述の空気処理装置１４を操作する操作スイッチ６が略上向に設置されている。
【００１９】
フード５は、汚染空気の捕集性、調理の作業性、操作スイッチ６の操作性及び調理者の感じる圧迫感等を考慮し、天板１ｂからフード５の上端部１８までの高さ寸法を４００ｍｍ程度とし、幅寸法を、電気加熱器２の幅寸法より片側５０ｍｍ程度ずつ大きくしている。奥行寸法は、電気加熱器２全体を上から覆う方が汚染空気の捕集性は良いものの、フード５が邪魔になって調理の作業性が悪化するため、前述したように、電気加熱器２の後部の略１／３の面積を上から覆うように形成されている。
【００２０】
フード５の左右の端部には、金属等の不燃材料で形成された略三角形のフード側板５ａ、５ｂが設けられており、汚染空気がフード５の左右へ流出するのを防いでいる。略三角形のフード側板５ａ、５ｂの長辺は、天板１ｂ上のフード５の根元付近１９とフード５の上端部１８とを結ぶ直線状としている。この長辺は曲線状としてもよい。
【００２１】
フード側板５ａ、５ｂを上記のような形状として、フード側板５ａ、５ｂの下部の前後方向幅が狭くなるように形成する。このように、フード側板５ａ、５ｂの前端部がフード５の上端部１８よりも後方に位置するようにして、電気加熱器２の左右をフード側板５ａ、５ｂで塞がないようにして鍋１５の左右への移動を妨げないようにし、調理の作業性を向上させている。また、図５に示すように、フード５及びフード側板５ａ、５ｂは、操作スイッチ６と空気処理装置１４とを接続する配線を中空部に収納するため及び強度を確保するために、板を２枚、隙間をもたせて重ねた中空構造となっている。
【００２２】
吸込口３及び開口５ｃの前方のフード５前面には、開口５ｃを覆うように、フィルター１１が着脱可能に設置されている。フィルター１１の設置は、スライド式やネジ固定等で行なわれる。フィルター１１の下方のフード５前面には、フィルター１１で捕集した油煙や水蒸気をキッチンキャビネット１上に垂らさないように、フィルター１１よりも幅及び奥行が大きな油受け１３が着脱可能に設置されている。油受け１３の設置は、引掛け式やネジ固定等で行なわれる。
【００２３】
フィルター１１及び油受け１３を、吸込口３の後方の吸込ダクト４内に設置せず、開口５ｃの前方に配置するのは、風路となる吸込ダクト４内を塞いで圧力損失を増大させて送風機が大型化するのを避け、また、フィルター１１で捕集した油煙や水蒸気等が油受け１３に溜まり油受け１３からオーバーフローした場合にも、油や水等が吸込ダクト４内を通って清掃性の悪い空気処理装置本体１４内に流入するのを防ぐためである。
【００２４】
フィルター１１の前方には、金属等の不燃材料で形成されたバッフル板１２が、フィルター１１と隙間１６を有するように、１本又は複数本のバッフル板支持脚１７により、フード５に着脱可能に設置されている。バッフル板支持脚１７の設置は、はめ込み式や引掛け式等で行なわれる。バッフル板１２は、油等で汚れたフィルター１１を隠すようにするため、フィルター１１よりも大きくしている。
【００２５】
フィルター１１とバッフル板１２との間の隙間１６の奥行寸法は、小さすぎると汚染空気を吸い込むときに圧力損失が大きくなり、大きすぎるとバッフル板１２が電気加熱器２上に突出して調理の作業性が悪化する。そのため、圧力損失が大きくならない程度で、できるだけ隙間１６を小さくした方が良いが、吸込み風量により、圧力損失が大きくならない奥行寸法は異なる。例えば、風量３００ｍ3／ｈでは、隙間１６の奥行寸法を３０ｍｍ程度とすることにより、圧力損失をほとんど無くすことができる。
【００２６】
空気処理装置１４の内部は、３つの風路に区画されている。一つの風路は、中央部に形成され吸込ダクト４に接続する吸込風路１４ｃで、汚染空気に含まれる油煙や水蒸気を電気集塵方式又は機械集塵方式にて除去する油煙除去装置８が設置されている。他の二つの風路は、空気処理装置１４の左右に一対で設けられ、それぞれ左右の吹出ダクト７ｃ、７ｄに接続する左右の吹出風路１４ａ、１４ｂで、吹出風路１４ａ、１４ｂ内には、それぞれ送風機１０ａ、１０ｂが設置されている。
【００２７】
送風機１０ａ、１０ｂは、隙間１６、フィルター１１、開口５ｃ、吸込口３、吸込ダクト４、吸込風路１４ｃ及び油煙除去装置８を経由させて汚染空気を浄化しつつ空気処理装置１４内に吸込み、吹出風路１４ａ、１４ｂ、吹出ダクト７ｃ、７ｄ、吹出口７ａ、７ｂを経由させて浄化空気を室内に排出する。
【００２８】
送風機を２台とすることにより、小さな送風機１０ａ、１０ｂを用いることができ、空気処理装置１４の高さ寸法を小さくして、キッチンキャビネット１の空気処理装置１４の下方の収納スペースを広くしている。
【００２９】
フード５の後方で、吸込ダクト４の左右のキッチンキャビネット１の天板１ｂには、吹出ダクト７ｃ、７ｄの吹出口７ａ、７ｂが配置され、吹出口７ａ、７ｂには、脱臭器９ａ、９ｂが、上下方向に着脱可能に設置されている。脱臭器９ａ、９ｂの設置は、はめ込み式やねじ固定等で行なわれる。
【００３０】
本実施の形態では、上記の吸込ダクト４及び吹出ダクト７ｃ、７ｄは、空気処理装置１４とは別体のものとしたが、一体のものとしてもよい。また、吸込ダクト４及び吸込口３は、フード５の後方に配置したが、フード５の前方に配置してもよい。
【００３１】
本実施の形態の加熱調理台では、例えば、鍋１５を電気加熱器２上に置き、鍋１５内の被調理物をかき混ぜる等の調理作業を伴う加熱調理を行なうと、被調理物から発生する汚染空気は、調理作業によって気流が乱されて、鍋１５から全方位に散らばろうとするが、熱上昇気流及び送風機１０ａ、１０ｂの吸引力により、上昇しつつ吸込口３へ向かう流れとなる。
【００３２】
鍋１５から吸込口３方向へ向かう汚染空気は、バッフル板１２とフィルター１１との間の隙間１６へ直接、吸い込まれるが、調理者側や左右方向へ散らばった汚染空気は、フード５及びフード側板５ａ、５ｂで捕集され、フード５及びフード側板５ａ、５ｂに沿って吸込口３方向に流れて吸込まれる。隙間１６に吸込まれた汚染空気は、フィルター１１により粒径の大きな油煙や水蒸気が取り除かれる。
【００３３】
フィルター１１を通過した汚染空気は、吸込ダクト４を通ってキッチンキャビネット１内に設置された空気処理装置１４内に吸引され、油煙除去装置８により粒径の細かい油煙や水蒸気が取り除かれ、清浄空気となる。清浄空気は、送風機１０ａ、１０ｂにより左右の吹出風路１４ａ、１４ｂに送られ、脱臭器９ａ、９ｂにより臭気を取り除かれ、フード５の後方に位置する吹出口７ａ、７ｂから室内へ吹出される。
【００３４】
脱臭器９ａ、９ｂは、上下方向に着脱可能に設置してあるので、脱臭性能が低下したときには容易に交換可能であり、また、調理臭気に適合する脱臭器を選択して装着することができる。フード５は、電気加熱器２後方のキッチンキャビネット１の天板１ｂに設置され、上部が電気加熱器２の後部を上から覆うように曲折されているので、電気加熱器２からの距離が近く、汚染空気を周囲に拡散する前に捕集する。
【００３５】
調理作業により気流が乱れたときにも、フード５及びフード側板５ａ、５ｂが隔壁となり、汚染空気が周囲に流れるのを防いで効率良く捕集するので、吸込風量は少なくてもよい。また、フード５は、小型なものでよい。フード５の上端部１８は、電気加熱器２の上方４００ｍｍ程度の低い位置にあるので手が届き易く、設置工事や清掃作業性もよい。
【００３６】
吹出口７ａ、７ｂをフード５の後側に配置したことにより、吹出口７ａ、７ｂから吹出される清浄空気と調理に伴う汚染空気とがフード５で仕切られ、互いに混ざり合うことがなく、汚染空気を効率良く捕集することができ、室内を快適に保つことができる。また、吹出口７ａ、７ｂから吹出される空気が直接、調理者へ吹き付けることもないので、快適に調理作業を行うことができる。
【００３７】
吸込口３の前方にフィルター１１及び油受け１３を配置したことにより、フィルター１１に水蒸気や油煙等が捕集されて滴下しても油受け１３に貯留されるので、キッチンキャビネット１の天板１ｂを汚すことがなく、快適に調理作業を行なうことができる。また、フード５内面に水蒸気や油煙等が付着しても、フード５は手の届き易い低い位置に設置されているので、容易に拭き取ることができ、清掃作業性がよい。
【００３８】
電気加熱器２の上方に位置するフード５の上端部に、略上向きに操作スイッチ６を設置したので、操作スイッチ６が低位置にあり、容易に操作することができる。また、汚染空気が直接、操作スイッチ６に吹き付けることがないので、操作スイッチ６を清潔に保つことができる。また、操作スイッチ６をキッチンキャビネット１や室の壁等に設置する必要がなく、穴加工や配線作業等の設置工事が不要である。
【００３９】
吹出口７ａ、７ｂに、着脱可能な脱臭器９ａ、９ｂを設置したので、室内に調理臭気が充満することがない。脱臭器９ａ、９ｂの脱臭性能が低下したときには、容易に交換することができ、また、調理臭気に適合する脱臭器を選択して取り付けることもでき、室内を快適に保つことができる。
【産業上の利用可能性】
【００４０】
二酸化炭素等の有害なガスを発生させない電気加熱調理に伴う汚染空気を捕集し、浄化循環処理する局所捕集型加熱調理台として有用である。
【図面の簡単な説明】
【００４１】
【図１】本発明にかかる加熱調理台の実施の形態を示す側面断面図である。
【図２】同正面断面図である。
【図３】同上面図である。
【図４】同上面断面図である。
【図５】図１のＡ−Ａ線に沿うフードの部分断面図である。
【符号の説明】
【００４２】
１  キッチンキャビネット
１ａ  床
１ｂ  天板
２  電気加熱器
３  吸込口
４  吸込ダクト
５  フード
５ａ，５ｂ  フード側板
５ｃ  開口
６  操作スイッチ
７ａ，７ｂ  吹出口
７ｃ，７ｄ  吹出ダクト
８  油煙除去装置
９ａ，９ｂ  脱臭器
１０ａ，１０ｂ  送風機
１１  フィルター
１２  バッフル板
１３  油受け
１４  空気処理装置
１４ａ，１４ｂ  吹出風路
１４ｃ  吸込風路
１５  鍋
１６  隙間
１７  バッフル板支持脚
１８  フードの上端部
１９  フードの根元部
【図１】
0004451359.tif 000002
【図２】
0004451359.tif 000003
【図３】
0004451359.tif 000004
【図４】
0004451359.tif 000005
【図５】
0004451359.tif 000006